(57)【要約】【課題】  コンテンツデータの配信を受けるユーザの環境を考慮した適応的なコンテンツリストを生成するコンテンツリスト生成システム、コンテンツサーバ、車載装置を提供することを目的とする。【解決手段】  ユーザに対して提供可能なコンテンツデータのリストを適応的に生成するコンテンツリスト生成システムであって、ユーザ情報に対応するプロファイルを記憶する記憶手段と、ユーザを認識するユーザ認識手段と、前記ユーザ認識手段が認識したユーザのユーザ情報各々に対応する複数のプロファイルを、前記記憶手段から読出して統合するプロファイル統合手段と、前記プロファイル統合手段が統合した統合プロファイルに基づいて、コンテンツリストを生成するコンテンツリスト生成手段とを備える。【選択図】  図１
2007057571.tif 000002
【特許請求の範囲】
【請求項１】
ユーザに対して提供可能なコンテンツデータのリストを適応的に生成するコンテンツリスト生成システムであって、
ユーザ情報に対応するプロファイルを記憶する記憶手段と、
ユーザを認識するユーザ認識手段と、
前記ユーザ認識手段が認識したユーザのユーザ情報各々に対応する複数のプロファイルを前記記憶手段から読出して統合するプロファイル統合手段と、
前記プロファイル統合手段が統合した統合プロファイルに基づいて、コンテンツリストを生成するコンテンツリスト生成手段とを備えるコンテンツリスト生成システム。
【請求項２】
前記記憶手段と、前記プロファイル統合手段と、前記コンテンツリスト生成手段とが設けられ、コンテンツデータを配信するコンテンツサーバと、
前記ユーザ認識手段が設けられ、前記コンテンツサーバとネットワークを介して接続された車載装置とを更に備え、
前記車載装置は、前記ユーザ認識手段が認識したユーザ情報を前記コンテンツサーバに送信するユーザ情報送信手段と、前記ユーザ情報送信手段が送信したユーザ情報に応じて前記コンテンツサーバから送信されたコンテンツリストを受信するコンテンツリスト受信手段とを更に含み、前記コンテンツサーバは、前記車載装置から送信されたユーザ情報を受信して前記プロファイル統合手段に与えるユーザ情報受信手段と、前記ユーザ情報受信手段が受信したユーザ情報に応じて生成されたコンテンツリストを前記車載装置に送信するコンテンツリスト送信手段とを更に含む請求項１記載のコンテンツリスト生成システム。
【請求項３】
前記プロファイル統合手段は、前記ユーザ情報受信手段が受信したユーザ情報各々に対応する複数のプロファイルの共通度合いが高くなるほど、優先度が高くなるように、前記複数のプロファイルを統合することを特徴とする請求項２記載のコンテンツリスト生成システム。
【請求項４】
前記プロファイル統合手段は、前記ユーザ情報受信手段が受信したユーザ情報のうち、主たるユーザのユーザ情報に対応するプロファイルの優先度が最も高くなるように、前記複数のプロファイルを統合することを特徴とする請求項２記載のコンテンツリスト生成システム。
【請求項５】
前記記憶手段が設けられ、コンテンツデータを配信するコンテンツサーバと、前記ユーザ認識手段と、前記プロファイル統合手段と、前記コンテンツリスト生成手段とが設けられ、前記コンテンツサーバとネットワークを介して接続された車載装置とを更に備え、
前記車載装置は、前記ユーザ認識手段が認識したユーザ情報を前記コンテンツサーバに送信するユーザ情報送信手段と、前記ユーザ情報送信手段が送信したユーザ情報に応じて前記コンテンツサーバから送信されたプロファイルを受信するプロファイル受信手段とを更に含み、前記コンテンツサーバは、前記車載装置から送信されたユーザ情報を受信するユーザ情報受信手段と、前記ユーザ情報受信手段が受信したユーザ情報に対応するプロファイルを前記記憶手段から読出して前記車載装置に送信するプロファイル送信手段とを更に含む請求項１記載のコンテンツリスト生成システム。
【請求項６】
前記プロファイル統合手段は、前記プロファイル受信手段が受信した複数のプロファイルの共通度合いが高くなるほど、優先度が高くなるように、前記複数のプロファイルを統合することを特徴とする請求項５記載のコンテンツリスト生成システム。
【請求項７】
前記プロファイル統合手段は、前記プロファイル受信手段が受信した複数のプロファイルのうち、主たるユーザのユーザ情報に対応するプロファイルの優先度が最も高くなるように、前記複数のプロファイルを統合することを特徴とする請求項５記載のコンテンツリスト生成システム。
【請求項８】
前記記憶手段と、前記プロファイル統合手段とが設けられ、コンテンツデータを配信するコンテンツサーバと、前記ユーザ認識手段と、前記コンテンツリスト生成手段とが設けられ、前記コンテンツサーバとネットワークを介して接続された車載装置とを更に備え、
前記車載装置は、前記ユーザ認識手段が認識したユーザ情報を前記コンテンツサーバに送信するユーザ情報送信手段と、前記ユーザ情報送信手段が送信したユーザ情報に応じて前記コンテンツサーバから送信された統合プロファイルを受信する統合プロファイル受信手段とを更に含み、前記コンテンツサーバは、前記車載装置から送信されたユーザ情報を受信して前記プロファイル統合手段に与えるユーザ情報受信手段と、前記プロファイル統合手段が統合した統合プロファイルを送信する統合プロファイル送信手段とを更に含む請求項１記載のコンテンツリスト生成システム。
【請求項９】
前記プロファイル統合手段は、前記ユーザ情報受信手段が受信したユーザ情報各々に対応する複数のプロファイルの共通度合いが高くなるほど、優先度が高くなるように、前記複数のプロファイルを統合することを特徴とする請求項８記載のコンテンツリスト生成システム。
【請求項１０】
前記プロファイル統合手段は、前記ユーザ情報受信手段が受信したユーザ情報のうち、主たるユーザのユーザ情報に対応するプロファイルの優先度が最も高くなるように、前記複数のプロファイルを統合することを特徴とする請求項８記載のコンテンツリスト生成システム。
【請求項１１】
コンテンツデータを配信するコンテンツサーバと、前記記憶手段と、前記ユーザ認識手段と、前記プロファイル統合手段と、前記コンテンツリスト生成手段とが設けられ、前記コンテンツサーバとネットワークを介して接続された車載装置とを更に備える請求項１記載のコンテンツリスト生成システム。
【請求項１２】
前記プロファイル統合手段は、前記ユーザ認識手段が認識したユーザのユーザ情報各々に対応する複数のプロファイルの共通度合いが高くなるほど、優先度が高くなるように、前記複数のプロファイルを統合することを特徴とする請求項１１記載のコンテンツリスト生成システム。
【請求項１３】
前記プロファイル統合手段は、前記ユーザ認識手段が認識したユーザのユーザ情報のうち、主たるユーザのユーザ情報に対応するプロファイルの優先度が最も高くなるように、前記複数のプロファイルを統合することを特徴とする請求項１１記載のコンテンツリスト生成システム。
【請求項１４】
ネットワークを介して接続された車載装置に対して、コンテンツデータを配信するコンテンツサーバであって、
ユーザ情報に対応するプロファイルを記憶する記憶手段と、
前記車載装置から送信されたユーザ情報を受信するユーザ情報受信手段と、
前記ユーザ情報受信手段が受信したユーザ情報各々に対応する複数のプロファイルを前記記憶手段から読出して統合するプロファイル統合手段と、
前記プロファイル統合手段が統合した統合プロファイルに基づいて、コンテ
ンツリストを生成するコンテンツリスト生成手段と、
前記コンテンツリスト生成手段が生成したコンテンツリストを前記車載装置に送信するコンテンツリスト送信手段とを備えるコンテンツサーバ。
【請求項１５】
ネットワークを介して接続された車載装置に対して、コンテンツデータを配信するコンテンツサーバであって、
ユーザ情報に対応するプロファイルを記憶する記憶手段と、
前記車載装置から送信されたユーザ情報を受信するユーザ情報受信手段と、前記ユーザ情報受信手段が受信したユーザ情報に対応するプロファイルを前記記憶手段から読出して前記車載装置に送信するプロファイル送信手段とを備えるコンテンツサーバ。
【請求項１６】
ネットワークを介して接続された車載装置に対して、コンテンツデータを配信するコンテンツサーバであって、
ユーザ情報に対応するプロファイルを記憶する記憶手段と、
前記車載装置から送信されたユーザ情報を受信するユーザ情報受信手段と、前記ユーザ情報受信手段が受信したユーザ情報各々に対応する複数のプロフ
ァイルを前記記憶手段から読出して統合するプロファイル統合手段と、
前記プロファイル統合手段が統合した統合プロファイルを前記車載装置に送
信する統合プロファイル送信手段とを備えるコンテンツサーバ。
【請求項１７】
ネットワークを介して接続されたコンテンツサーバから、コンテンツリストに基づいて、コンテンツデータの配信を受ける車載装置であって、
ユーザを認識するユーザ認識手段と、
前記ユーザ認識手段が認識したユーザのユーザ情報を前記コンテンツサーバに送信するユーザ情報送信手段と、
前記ユーザ情報送信手段が送信したユーザ情報に応じて前記コンテンツサーバから送信されたコンテンツリストを受信するコンテンツリスト受信手段とを備える車載装置。
【請求項１８】
ネットワークを介して接続されたコンテンツサーバから、コンテンツリストに基づいて、コンテンツデータの配信を受ける車載装置であって、
ユーザを認識するユーザ認識手段と、
前記ユーザ認識手段が認識したユーザのユーザ情報を前記コンテンツサーバに送信するユーザ情報送信手段と、
前記ユーザ情報送信手段が送信したユーザ情報に応じて、前記コンテンツサーバから送信されたプロファイルを受信するプロファイル受信手段と、
前記プロファイル受信手段が受信した複数のプロファイルを統合するプロファイル統合手段と、
前記プロファイル統合手段が統合した統合プロファイルに基づいて、コンテンツリストを生成するコンテンツリスト生成手段とを備える車載装置。
【請求項１９】
前記プロファイル統合手段は、前記プロファイル受信手段が受信した複数のプロファイルの共通度合いが高くなるほど、優先度を高くなるように、前記複数のプロファイルを統合することを特徴とする請求項１８記載の車載装置。
【請求項２０】
前記プロファイル統合手段は、前記プロファイル受信手段が受信した複数のプロファイルのうち、主たるユーザのユーザ情報に対応するプロファイルの優先度が最も高くなるように、前記複数のプロファイルを統合することを特徴とする請求項１８記載の車載装置。
【請求項２１】
ネットワークを介して接続されたコンテンツサーバから、コンテンツリストに基づいて、コンテンツデータの配信を受ける車載装置であって、
ユーザを認識するユーザ認識手段と、
前記ユーザ認識手段が認識したユーザのユーザ情報を前記コンテンツサーバに送信するユーザ情報送信手段と、
前記ユーザ情報送信手段が送信したユーザ情報に応じて前記コンテンツサーバから送信された統合プロファイルを受信する統合プロファイル受信手段と、
前記統合プロファイル受信手段が受信した統合プロファイルに基づいて、コンテンツリストを生成するコンテンツリスト生成手段とを備える車載装置。
【請求項２２】
ネットワークを介して接続されたコンテンツサーバから、コンテンツリストに基づいて、コンテンツデータの配信を受ける車載装置であって、
ユーザ情報に対応するプロファイルを記憶する記憶手段と、
ユーザを認識するユーザ認識手段と、
前記ユーザ認識手段が認識したユーザのユーザ情報各々に対応する複数のプロファイルを前記記憶手段から読出して統合するプロファイル統合手段と、
前記プロファイル統合手段が統合した統合プロファイルに基づいて、コンテンツリストを生成するコンテンツリスト生成手段とを備える車載装置。
【請求項２３】
前記プロファイル統合手段は、前記ユーザ認識手段が認識したユーザのユーザ情報各々に対応する複数のプロファイルの共通度合いが高くなるほど、優先度が高くなるように、前記複数のプロファイルを統合することを特徴とする請求項２２記載の車載装置。
【請求項２４】
前記プロファイル統合手段は、前記ユーザ認識手段が認識したユーザのユーザ情報のうち、主たるユーザのユーザ情報に対応するプロファイルの優先度が最も高くなるように、前記複数のプロファイルを統合することを特徴とする請求項２２記載の車載装置。
【発明の詳細な説明】
【技術分野】
【０００１】
本発明は、コンテンツデータを配信するコンテンツサーバとコンテンツデータを受信する車載装置とがネットワークを介して接続されたコンテンツリスト生成システムに関し、特に、コンテンツデータの配信を受けるユーザの環境を考慮した適応的なコンテンツリストを生成する技術に関する。
【背景技術】
【０００２】
コンテンツとして音楽データを配信するコンテンツ配信システムとしては、試聴用の音楽データへのリンクと、正規の音楽データを格納したダウンロード用のファイルへのリンクとを設けたＷｅｂページを介して、Ｗｅｂサーバから、音楽データをユーザ端末に配信する音楽配信サービスが知られている。
【０００３】
このようなコンテンツ配信システムでは、ユーザは、まず、Ｗｅｂページ上の試聴用の音楽データへのリンクを選択して、選択に応じてＷｅｂサーバからストリーミング形式で配信される試聴用の音楽データをユーザ端末で再生して試聴する。
【０００４】
試聴した音楽が気に入ったならば、Ｗｅｂページ上のダウンロード用のファイルへのリンクを選択し、選択に応じてＷｅｂサーバから送られる音楽データのファイルをダウンロードして、ユーザ端末上に記録することになる。
【０００５】
このような音楽配信サービスでは、ネットワークに接続された環境下では、携帯電話等の端末で、いつでも、どこでも、ユーザが好みの楽曲のコンテンツデータを購入することができる。
【０００６】
ところで、自分が既に購入したＣＤやＤＶＤ等のディスクメディアに収録された楽曲と同じ楽曲のコンテンツデータを、上述のような音楽配信サービスを利用して取得し、再生したい場合がある。
【０００７】
例えば、ネットワークには接続されているが、ディスクメディアの再生機能のない端末（例えば、携帯電話）を用いて楽曲の再生を行いたい場合がこれに該当する。
【０００８】
このような場合、たとえディスクメディアによって購入した楽曲であっても、音楽配信サービスから取得する場合は、再び購入しなければならず、２重購入という問題が生じる。
【０００９】
そこで、ディスクメディアを購入するユーザに対して、同一のコンテンツデータを２重購入するという不利益を強いることなく、いつでも、どこでも、購入したコンテンツデータの再生を楽しめる音楽配信サービスが提案されている。
【００１０】
この音楽配信サービスは、ＣＤ等のディスクメディアに識別情報を付加しておき、そのディスクメディアを購入したユーザは、管理サーバにその識別情報を登録する。この登録された識別情報を使用して、ユーザがどの楽曲を既に保有しているのか示すコンテンツリストが生成される。
【００１１】
そして、この音楽配信サービスを受ける場合、生成されたコンテンツリストに基づいて、ユーザが保有している楽曲のコンテンツデータについては、無償で再生、或いはダウンロードが行われる（例えば、特許文献１）。
【特許文献１】特開２００４−４２４５号公報
【発明の開示】
【発明が解決しようとする課題】
【００１２】
しかしながら、上述したコンテンツ配信システムは、コンテンツデータの配信を受けるユーザの環境を考慮してない。すなわち、複数のユーザが１台の再生端末、例えば、車載装置等を共用する場合であっても、あくまでこのコンテンツ配信システムでは、１人のユーザのみを考慮したコンテンツリストを配信する。
【００１３】
このため、複数のユーザを考慮した適応的なコンテンツリストの配信を受けることができない。したがって、１人のユーザを除く他のユーザは、自分の好みのコンテンツデータの配信を受けることができない。
【００１４】
本発明は、このような問題に鑑みてなされた。すなわち、コンテンツデータの配信を受けるユーザの環境を考慮した適応的なコンテンツリストを生成するコンテンツリスト生成システム、コンテンツサーバ、車載装置を提供することを目的とする。
【課題を解決するための手段】
【００１５】
本願発明は、ユーザに対して提供可能なコンテンツデータのリストを適応的に生成するコンテンツリスト生成システムを前提としている。
【００１６】
本願発明は、ユーザ情報に対応するプロファイルを記憶する記憶手段と、ユーザを認識するユーザ認識手段と、前記ユーザ認識手段が認識したユーザのユーザ情報各々に対応する複数のプロファイルを前記記憶手段から読出して統合するプロファイル統合手段と、前記プロファイル統合手段が統合した統合プロファイルに基づいて、コンテンツリストを生成するコンテンツリスト生成手段とを備える構成としている。
【００１７】
これにより、コンテンツの配信を受けるユーザの環境を考慮した適応的なコンテンツリストを生成するコンテンツリスト生成システムを提供することができる。
【００１８】
本願発明は、前記記憶手段と、前記プロファイル統合手段と、前記コンテンツリスト生成手段とが設けられ、コンテンツデータを配信するコンテンツサーバと、前記ユーザ認識手段が設けられ、前記コンテンツサーバとネットワークを介して接続された車載装置とを更に備え、前記車載装置は、前記ユーザ認識手段が認識したユーザ情報を前記コンテンツサーバに送信するユーザ情報送信手段と、前記ユーザ情報送信手段が送信したユーザ情報に応じて前記コンテンツサーバから送信されたコンテンツリストを受信するコンテンツリスト受信手段とを更に含み、前記コンテンツサーバは、前記車載装置から送信されたユーザ情報を受信して、前記プロファイル統合手段に与えるユーザ情報受信手段と、前記ユーザ情報受信手段が受信したユーザ情報に応じて生成されたコンテンツリストを前記車載装置に送信するコンテンツリスト送信手段とを更に含む構成としている。
【００１９】
これにより、コンテンツの配信を受けるユーザの環境を考慮した適応的なコンテンツリストを生成するコンテンツリスト生成システムを提供することができる。
【００２０】
なお、前記プロファイル統合手段は、前記ユーザ情報受信手段が受信したユーザ情報各々に対応する複数のプロファイルの共通度合いが高くなるほど、優先度が高くなるように、前記複数のプロファイルを統合する構成としてもよい。
【００２１】
なお、前記プロファイル統合手段は、前記ユーザ情報受信手段が受信したユーザ情報のうち、主たるユーザのユーザ情報に対応するプロファイルの優先度が最も高くなるように、前記複数のプロファイルを統合する構成としてもよい。
【００２２】
本願発明は、前記記憶手段が設けられ、コンテンツデータを配信するコンテンツサーバと、前記ユーザ認識手段と、前記プロファイル統合手段と、前記コンテンツリスト生成手段とが設けられ、前記コンテンツサーバとネットワークを介して接続された車載装置とを更に備え、前記車載装置は、前記ユーザ認識手段が認識したユーザ情報を前記コンテンツサーバに送信するユーザ情報送信手段と、前記ユーザ情報送信手段が送信したユーザ情報に応じて前記コンテンツサーバから送信されたプロファイルを受信するプロファイル受信手段とを更に含み、前記コンテンツサーバは、前記車載装置から送信されたユーザ情報を受信するユーザ情報受信手段と、前記ユーザ情報受信手段が受信したユーザ情報に対応するプロファイルを前記記憶手段から読出して前記車載装置に送信するプロファイル送信手段とを更に含む構成としている。
【００２３】
これにより、コンテンツの配信を受けるユーザの環境を考慮した適応的なコンテンツリストを生成するコンテンツリスト生成システムを提供することができる。
【００２４】
なお、前記プロファイル統合手段は、前記プロファイル受信手段が受信した複数のプロファイルの共通度合いが高くなるほど、優先度が高くなるように、前記複数のプロファイルを統合する構成としてもよい。
【００２５】
なお、前記プロファイル統合手段は、前記プロファイル受信手段が受信した複数のプロファイルのうち、主たるユーザのユーザ情報に対応するプロファイルの優先度が最も高くなるように、前記複数のプロファイルを統合する構成としてもよい。
【００２６】
本願発明は、前記記憶手段と、前記プロファイル統合手段とが設けられ、コンテンツデータを配信するコンテンツサーバと、前記ユーザ認識手段と、前記コンテンツリスト生成手段とが設けられ、前記コンテンツサーバとネットワークを介して接続された車載装置とを更に備え、前記車載装置は、前記ユーザ認識手段が認識したユーザ情報を前記コンテンツサーバに送信するユーザ情報送信手段と、前記ユーザ情報送信手段が送信したユーザ情報に応じて前記コンテンツサーバから送信された統合プロファイルを受信する統合プロファイル受信手段とを更に含み、前記コンテンツサーバは、前記車載装置から送信されたユーザ情報を受信して前記プロファイル統合手段に与えるユーザ情報受信手段と、前記プロファイル統合手段が統合した統合プロファイルを送信する統合プロファイル送信手段とを更に含む構成としている。
【００２７】
これにより、コンテンツの配信を受けるユーザの環境を考慮した適応的なコンテンツリストを生成するコンテンツリスト生成システムを提供することができる。
【００２８】
なお、前記プロファイル統合手段は、前記ユーザ情報受信手段が受信したユーザ情報各々に対応する複数のプロファイルの共通度合いが高くなるほど、優先度が高くなるように、前記複数のプロファイルを統合する構成としてもよい。
【００２９】
なお、前記プロファイル統合手段は、前記ユーザ情報受信手段が受信したユーザ情報のうち、主たるユーザのユーザ情報に対応するプロファイルの優先度が最も高くなるように、前記複数のプロファイルを統合する構成としてもよい。
【００３０】
本願発明は、コンテンツデータを配信するコンテンツサーバと、前記記憶手段と、前記ユーザ認識手段と、前記プロファイル統合手段と、前記コンテンツリスト生成手段とが設けられ、前記コンテンツサーバとネットワークを介して接続された車載装置とを更に備える構成としている。
【００３１】
これにより、コンテンツの配信を受けるユーザの環境を考慮した適応的なコンテンツリストを生成するコンテンツリスト生成システムを提供することができる。
【００３２】
なお、前記プロファイル統合手段は、前記ユーザ認識手段が認識したユーザのユーザ情報各々に対応する複数のプロファイルの共通度合いが高くなるほど、優先度が高くなるように、前記複数のプロファイルを統合する構成としてもよい。
【００３３】
なお、前記プロファイル統合手段は、前記ユーザ認識手段が認識したユーザのユーザ情報のうち、主たるユーザのユーザ情報に対応するプロファイルの優先度が最も高くなるように、前記複数のプロファイルを統合する構成としてもよい。
【００３４】
本願発明は、ネットワークを介して接続された車載装置に対して、コンテンツデータを配信するコンテンツサーバを前提としている。
【００３５】
本願発明は、ユーザ情報に対応するプロファイルを記憶する記憶手段と、前記車載装置から送信されたユーザ情報を受信するユーザ情報受信手段と、前記ユーザ情報受信手段が受信したユーザ情報各々に対応する複数のプロファイルを前記記憶手段から読出して統合するプロファイル統合手段と、前記プロファイル統合手段が統合した統合プロファイルに基づいて、コンテンツリストを生成するコンテンツリスト生成手段と、前記コンテンツリスト生成手段が生成したコンテンツリストを前記車載装置に送信するコンテンツリスト送信手段とを備える構成としている。
【００３６】
これにより、コンテンツの配信を受けるユーザの環境を考慮した適応的なコンテンツリストを生成するコンテンツサーバを提供することができる。
【００３７】
本願発明は、ネットワークを介して接続された車載装置に対して、コンテンツデータを配信するコンテンツサーバを前提としている。
【００３８】
本願発明は、ユーザ情報に対応するプロファイルを記憶する記憶手段と、
前記車載装置から送信されたユーザ情報を受信するユーザ情報受信手段と、前記ユーザ情報受信手段が受信したユーザ情報に対応するプロファイルを前記記憶手段から読出して前記車載装置に送信するプロファイル送信手段とを備える構成としている。
【００３９】
これにより、コンテンツの配信を受けるユーザの環境を考慮した適応的なコンテンツリストの生成を可能とするコンテンツサーバを提供することができる。
【００４０】
本願発明は、ネットワークを介して接続された車載装置に対して、コンテンツデータを配信するコンテンツサーバを前提としている。
【００４１】
本願発明は、ユーザ情報に対応するプロファイルを記憶する記憶手段と、前記車載装置から送信されたユーザ情報を受信するユーザ情報受信手段と、前記ユーザ情報受信手段が受信したユーザ情報各々に対応する複数のプロファイルを前記記憶手段から読出して統合するプロファイル統合手段と、前記プロファイル統合手段が統合した統合プロファイルを前記車載装置に送信する統合プロファイル送信手段とを備える構成としている。
【００４２】
これにより、コンテンツの配信を受けるユーザの環境を考慮した適応的なコンテンツリストの生成を可能とするコンテンツサーバを提供することができる。
【００４３】
本願発明は、ネットワークを介して接続されたコンテンツサーバから、コンテンツリストに基づいて、コンテンツデータの配信を受ける車載装置を前提としている。
【００４４】
本願発明は、ユーザを認識するユーザ認識手段と、前記ユーザ認識手段が認識したユーザのユーザ情報を前記コンテンツサーバに送信するユーザ情報送信手段と、前記ユーザ情報送信手段が送信したユーザ情報に応じて前記コンテンツサーバから送信されたコンテンツリストを受信するコンテンツリスト受信手段とを備える構成としている。
【００４５】
これにより、コンテンツの配信を受けるユーザの環境を考慮した適応的なコンテンツリストを受信する車載装置を提供することができる。
【００４６】
本願発明は、ネットワークを介して接続されたコンテンツサーバから、コンテンツリストに基づいて、コンテンツデータの配信を受ける車載装置を前提としている。
【００４７】
本願発明は、ユーザを認識するユーザ認識手段と、前記ユーザ認識手段が認識したユーザのユーザ情報を前記コンテンツサーバに送信するユーザ情報送信手段と、前記ユーザ情報送信手段が送信したユーザ情報に応じて前記コンテンツサーバから送信されたプロファイルを受信するプロファイル受信手段と、前記プロファイル受信手段が受信した複数のプロファイルを統合するプロファイル統合手段と、前記プロファイル統合手段が統合した統合プロファイルに基づいて、コンテンツリストを生成するコンテンツリスト生成手段とを備える構成としている。
【００４８】
これにより、コンテンツの配信を受けるユーザの環境を考慮した適応的なコンテンツリストを生成する車載装置を提供することができる。
【００４９】
なお、前記プロファイル統合手段は、前記プロファイル受信手段が受信した複数のプロファイルの共通度合いが高くなるほど、優先度を高くなるように、前記複数のプロファイルを統合する構成としてもよい。
【００５０】
なお、前記プロファイル統合手段は、前記プロファイル受信手段が受信した複数のプロファイルのうち、主たるユーザのユーザ情報に対応するプロファイルの優先度が最も高くなるように、前記複数のプロファイルを統合する構成としてもよい。
【００５１】
本願発明は、ネットワークを介して接続されたコンテンツサーバから、コンテンツリストに基づいて、コンテンツデータの配信を受ける車載装置を前提としている。
【００５２】
本願発明は、ユーザを認識するユーザ認識手段と、前記ユーザ認識手段が認識したユーザのユーザ情報を前記コンテンツサーバに送信するユーザ情報送信手段と、前記ユーザ情報送信手段が送信したユーザ情報に応じて前記コンテンツサーバから送信された統合プロファイルを受信する統合プロファイル受信手段と、前記統合プロファイル受信手段が受信した統合プロファイルに基づいて、コンテンツリストを生成するコンテンツリスト生成手段とを備える構成としている。
【００５３】
これにより、コンテンツの配信を受けるユーザの環境を考慮した適応的なコンテンツリストを生成する車載装置を提供することができる。
【００５４】
本願発明は、ネットワークを介して接続されたコンテンツサーバから、コンテンツリストに基づいて、コンテンツデータの配信を受ける車載装置を前提としている。
【００５５】
本願発明は、ユーザ情報に対応するプロファイルを記憶する記憶手段と、ユーザを認識するユーザ認識手段と、前記ユーザ認識手段が認識したユーザのユーザ情報各々に対応する複数のプロファイルを前記記憶手段から読出して統合するプロファイル統合手段と、前記プロファイル統合手段が統合した統合プロファイルに基づいて、コンテンツリストを生成するコンテンツリスト生成手段とを備える構成としている。
【００５６】
これにより、コンテンツの配信を受けるユーザの環境を考慮した適応的なコンテンツリストを生成する車載装置を提供することができる。
【００５７】
なお、前記プロファイル統合手段は、前記ユーザ認識手段が認識したユーザのユーザ情報各々に対応する複数のプロファイルの共通度合いが高くなるほど、優先度が高くなるように、前記複数のプロファイルを統合する構成としてもよい。
【００５８】
なお、前記プロファイル統合手段は、前記ユーザ認識手段が認識したユーザのユーザ情報のうち、主たるユーザのユーザ情報に対応するプロファイルの優先度が最も高くなるように、前記複数のプロファイルを統合する構成としてもよい。
【発明の効果】
【００５９】
本発明は、上記実施の形態から明らかなように、コンテンツデータの配信を受けるユーザの環境を考慮した適応的なコンテンツリストを生成するコンテンツリスト生成システム、コンテンツサーバ、車載装置を提供することができる。
【発明を実施するための最良の形態】
【００６０】
（実施の形態１）
以下、本発明の実施の形態１におけるコンテンツリスト生成システム、コンテンツサーバ、車載装置について、図面を参照しながら説明する。
【００６１】
図１は、車載装置１００とコンテンツサーバ１２０とがネットワーク１１０を介して接続されたコンテンツリスト生成システムの全体構成を示す模式図である。
【００６２】
図１において、車載装置１００は自動車内に配置される。コンテンツサーバ１２０は、任意の場所に設置される、例えば、配信サーバである。また、ネットワーク１１０は、例えば、インターネットであるが、これに限らず他のネットワークでもよい。なお、車載装置１００の内部にＨＤＤを配設し、このＨＤＤをコンテンツサーバ１２０の代用とする構成としてもよい。
【００６３】
次に、車載装置１００とコンテンツサーバ１２０の内部の構成について、図２を用いて説明する。図２に示すように、車載装置１００は、表示モニタ２１２、スピーカ２１３、ユーザ認識部２００、制御部２０１、通信部２０２、描画ＬＳＩ２０８、メモリ２０９、及びＤＡＣ２１０を備えている。
【００６４】
通信部２０２は、例えば、携帯電話である。なお、通信部２０２は、携帯電話としたが、これに限らず、ＰＨＳや無線ＬＡＮ、ＤＳＲＣ（Ｄｅｄｉｃａｔｅｄ  Ｓｈｏｒｔ  Ｒａｎｇｅ  Ｃｏｍｍｕｎｉｃａｔｉｏｎ：狭帯域無線通信）の通信方式で接続されるインターフェイスであってもよいし、いずれかの組合せであってもよい。
【００６５】
ＤＡＣ２１０は、受信したコンテンツデータをスピーカ２１３へ出力するために、制御部２０１の制御に基づき、デジタルからアナログへ変換する回路である。なお、図２では、説明を簡略化するために、ＤＡＣ２１０とスピーカ２１３の間でアンプを省略している。
【００６６】
描画ＬＳＩ２０８は、制御部２０１の制御に基づき、コンテンツデータのコンテンツリストを表示モニタ２１２に表示させるために、コンテンツデータのコンテンツリストを描画データへ変換する回路である。
【００６７】
ユーザ認識部２００は、ユーザを認識する機能を有している。ユーザ認識部２００は、図３に示すように、アンテナ部３０１、データ読取部３０２、ユーザ情報記憶部３０３、判断部３０４、出力部３０５を備えている。
【００６８】
ＩＣ部３００は、例えば、これを所持するユーザを識別するための固有のユーザ情報を記憶しているＩＣカードである。なお、ＩＣ部３００はＩＣカードとしたが、例えば、ＩＣタグであってもよい。
【００６９】
アンテナ部３０１は、ＩＣ部３００に電波を送信する。ＩＣ部３００は、受信した電波から起電し、記憶しているユーザ情報をアンテナ部３０１に送信する。
【００７０】
データ読取部３０２は、アンテナ部３０１で受信したユーザ情報を読取り、読取ったユーザ情報を判断部３０４に渡す。ユーザ情報記憶部３０３は、予め、ユーザを識別するためのユーザ情報を記憶している。
【００７１】
判断部３０４は、アンテナ部３０１から受取ったユーザ情報と、ユーザ情報記憶部３０３に記憶されているユーザ情報との一致不一致を判断する。出力部３０５は、判断部３０４の判断結果を出力する。
【００７２】
なお、ユーザ認識部２００は、ＩＣカードを用いてユーザを認識する構成としたが、これに限らず、手入力により入力されたＩＤやユーザ名等によりユーザを認識する構成としてもよいし、指紋認識、顔画像認識等、その他の方法でユーザを認識する構成としてもよい。また、ユーザ認識部２００は単数設けられる構成としたが、車内の各座席に複数設けられる構成としてもよい。
【００７３】
入力部２１１は、ユーザからの入力を受付ける、例えば、リモコンやタッチスイッチ、音声入力用マイク等である。この入力部２１１で、コンテンツリストの中から再生するコンテンツデータが選択される。
【００７４】
メモリ２０９は、ストリーミングを行うために、データを一時記憶したり、車載装置１００全体の処理を司るプログラムの実行のために使用される。
【００７５】
また、表示モニタ２１２、スピーカ２１３、入力部２１１は、車載装置１００の内部に設けられる構成としたが、これに限らず、車載装置１００の外部に設けてもよい。
【００７６】
一方、コンテンツサーバ１２０は、通信部２０３、制御部２０４、記憶部２０５、プロファイル統合部２０６、コンテンツリスト生成部２０７を備えている。制御部２０４は、コンテンツサーバの装置全体の処理を司る。
【００７７】
通信部２０３は、ネットワークを介して、車載装置１００と通信する。記憶部２０５は、コンテンツデータ、コンテンツリスト、及びユーザのプロファイルを記憶しており、例えば、ＨＤＤである。
【００７８】
記憶部２０５は、コンテンツデータとして、例えば、楽曲のデータを記憶しており、更に、図４に示すように、その楽曲のタイトル、アーティスト、アルバム名、再生時間からなるリストを、予め、初期状態のコンテンツリスト４００として記憶している。
【００７９】
更に、記憶部２０５は、図５に示すように、ユーザの所有状況（マル印は所有している、バツ印は所有していない）を示すプロファイル５００を楽曲のタイトルと関連付けて記憶している。なお、プロファイルデータは、ユーザの嗜好情報であってもよい。コンテンツデータは楽曲のデータとしたが、これに限らず、動画データであってもよい。
【００８０】
次に、第１の実施の形態におけるコンテンツリスト生成システムの動作について、図６のフロー図を用いて説明する。
【００８１】
まず、ある家族３人（ユーザＡ、ユーザＢ、及びユーザＣ）が車に乗車しているものとする。各ユーザが、予め所持するＩＣ部３００をユーザ認識部２００のアンテナ部３０１に近づけると、ユーザ認識部２００はユーザを認識する（ステップＳ６０１）。
【００８２】
ユーザ認識部２００が認識したユーザのユーザ情報は、車載装置１００の通信部２０２により、ネットワーク１１０を介して、車載装置１００からコンテンツサーバ１２０に送信される（ステップＳ６０２）。
【００８３】
車載装置１００からコンテンツサーバ１２０に送信されたユーザ情報は、コンテンツサーバ１２０の通信部２０３により受信される（ステップＳ６０３）。ユーザ情報を受信すると、コンテンツサーバ１２０の制御部２０４は、受信したユーザ情報が複数あるのか否かを判定する（ステップＳ６０４）。
【００８４】
判定処理Ｓ６０４において、受信したユーザ情報が複数である場合、プロファイル統合部２０６は、ユーザ情報各々に対応する複数のプロファイルを記憶部２０５から読出し、読出した複数のプロファイルの共通度合いに基づいて、プロファイルの統合を行う（ステップＳ６０５）。
【００８５】
このプロファイルの統合において、ある楽曲について、例えば、ユーザＡとユーザＢとユーザＣとの３人共が所有しているならば、その楽曲に対して、最も高い優先度１が付与される。なお、ここでいう優先度とは、コンテンツリストとして表示する各楽曲のタイトルの表示順序の優先度である。
【００８６】
同様に、ユーザＡとユーザＢとの２人が所有している、或いはユーザＡとユーザＣとの２人が所有している、或いはユーザＢとユーザＣとの２人が所有しているならば、２番目に高い優先度２が付与される。
【００８７】
また、ユーザＡのみが所有している、或いはユーザＢのみが所有している、或いはユーザＣのみが所有しているならば、３番目に高い優先度３が付与される。いずれのユーザも所有していないならば、優先度なしとされる。なお、優先度なしならば、コンテンツリストとして表示しない。
【００８８】
このように、プロファイル統合部２０６は、ユーザ情報各々に対応する複数のプロファイルの共通度合いに基づいて、図７に示すように、優先度を各楽曲のタイトルに関連付けて付与し、複数のプロファイルを統合して、統合プロファイル７００を生成する。なお、統合プロファイル７００は、各楽曲のタイトルと優先度とが関連付けて生成される。
【００８９】
更に、コンテンツリスト生成部２０７は、統合プロファイル７００が生成されると、統合プロファイル７００に基づいて、優先度に関連付けられた各楽曲のタイトルを、アーティスト、アルバム名、及び再生時間と共に、記憶部２０５から順番に読出し、図８に示すように、コンテンツリスト８００を生成する（ステップＳ６０６）。
【００９０】
コンテンツリスト生成部２０７により生成したコンテンツリストのデータは、コンテンツサーバ１２０の通信部２０３により、ネットワーク１１０を介して、コンテンツサーバ１２０から車載装置１００に送信される（ステップＳ６０７）。
【００９１】
コンテンツサーバ１２０から車載装置１００に送信されたコンテンツリストのデータは、車載装置１００の通信部２０２により受信される（ステップＳ６０８）。コンテンツリストのデータを受信すると、車載装置１００の制御部２０１は、図９に示すように、受信したコンテンツリストを表示モニタ２１２に表示する（ステップＳ６０９）。なお、コンテンツリストには、優先度を表す識別マークが表示される。また、優先度を文字の色やフォントにより表現してもよい。
【００９２】
そして、ユーザが、入力部２１１で、表示されたコンテンツリストの中から再生するコンテンツデータを選択すると、コンテンツサーバ１２０から、選択したコンテンツデータが配信される（ステップＳ６１０）。
【００９３】
一方、判定処理ステップＳ６０４において、受信したユーザ情報が単数である場合、コンテンツリスト生成部２０７は、そのユーザ情報に対応するプロファイルに基づいて、各楽曲のタイトルを、アーティスト、アルバム名、及び再生時間と共に、記憶部２０５から順番に読出し、コンテンツリストを生成する（ステップＳ６０４及びステップＳ６０６）。以下同様に、ステップＳ６０７からステップＳ６１０までの処理が実行される。
【００９４】
これにより、コンテンツデータの配信を受けるユーザの環境を考慮した適応的なコンテンツリストを生成するコンテンツリスト生成システム、コンテンツサーバ、車載装置を提供することができる。
【００９５】
（実施の形態２）
以下、本発明の実施の形態２におけるコンテンツリスト生成システム、コンテンツサーバ、車載装置について、第１の実施の形態と同様の部分は省略して、図面を参照しながら説明する。
【００９６】
コンテンツサーバ１２０の記憶部２０５は、図１０に示すように、ユーザの所有状況（マル印は所有している、バツ印は所有していない）を示すプロファイル１０００を楽曲のタイトルと関連付けて記憶している。
【００９７】
図１１に示すように、車載装置１００のユーザ認識部２００は、主ユーザ情報入力部１１００とユーザ情報生成部１１０１とを更に備えている。主ユーザ情報入力部１１００は、主ユーザ情報の入力を受付ける、例えば、入力ボタン、タッチスイッチ、音声入力用マイク等である。また、ユーザの位置情報と関連させて、運転席のユーザを主ユーザにするなどしてもよい。
【００９８】
ユーザ情報生成部１１０１は、判断部３０４から出力されたユーザ情報に、主ユーザ情報入力部１１００から入力された主ユーザ情報を付加したユーザ情報を生成する。出力部３０５は、ユーザ情報生成部１１０１の生成結果を出力する。
【００９９】
次に、実施の形態２におけるコンテンツリスト生成システムの動作について、図１２のフロー図を用いて説明する。
【０１００】
ある家族２人（ユーザＡ、ユーザＢ）が車に乗車しているものとする。ここで、ドライバーであるユーザＡが主たるユーザであるとする。まず、ユーザＡは、主ユーザ情報入力部１１１０で、主たるユーザであることを入力する。
【０１０１】
次に、ユーザＡ、及びユーザＢが、予め所持するＩＣ部３００をユーザ認識部２００のアンテナ部３０１に近づけると、ユーザ認識部２００はユーザを認識する（ステップＳ１２０１）。
【０１０２】
なお、ユーザ認識部２００が全てのユーザを認識した後、認識したユーザのリストの中から主たるユーザを選択させる、主ユーザ情報の入力を促す画面が表示モニタ２１２に表示される構成としてもよい。
【０１０３】
ユーザ認識部２００が認識したユーザのユーザ情報は、車載装置１００の通信部２２０により、ネットワーク１１０を介して、車載装置１００からコンテンツサーバ１２０に送信される（ステップＳ１２０２）。
【０１０４】
車載装置１００からコンテンツサーバ１２０に送信されたユーザ情報は、コンテンツサーバ１２０の通信部２０３により受信される（ステップＳ１２０３）。ユーザ情報を受信すると、コンテンツサーバ１２０の制御部２０４は、受信したユーザ情報が複数あるのか否かを判定する（ステップＳ１２０４）。
【０１０５】
判定処理ステップＳ１２０４において、受信したユーザ情報が複数である場合、プロファイル統合部２０６は、複数のユーザ情報のうち、主ユーザ情報が付加されたユーザ情報に対応するプロファイルに基づいて、プロファイルの統合を行う（ステップＳ１２０５）。
【０１０６】
このプロファイルの統合において、ある楽曲について、ユーザＡが所有しているならば、最も高い優先度１が付与される。同様に、ユーザＢのみ所有しているならば、２番目に高い優先度２が付与される。いずれのユーザも所有していないのならば、優先度なしとされる。
【０１０７】
このように、プロファイル統合部２０６は、複数のユーザ情報のうち、主ユーザ情報が付加されたユーザ情報に対応するプロファイルに基づいて、図１３に示すように、優先度を各楽曲のタイトルに関連付けて付与し、複数のプロファイルを統合して、統合プロファイル１３００を生成する。なお、統合プロファイル１３００は、各楽曲のタイトルと優先度とが関連付けて生成される。
【０１０８】
更に、コンテンツリスト生成部２０７は、統合プロファイル１３００が生成されると、統合プロファイル１３００に基づいて、優先度に関連付けられた各楽曲のタイトルを、アーティスト、アルバム名、及び再生時間と共に、記憶部２０５から順番に読出し、図１４に示すように、コンテンツリスト１４００を生成する（ステップＳ１２０６）。
【０１０９】
コンテンツリスト生成部２０７が生成したコンテンツリストのデータは、コンテンツサーバ１２０の通信部２０３により、ネットワーク１１０を介して、コンテンツサーバ１２０から車載装置１００に送信される（ステップＳ１２０７）。
【０１１０】
コンテンツサーバ１２０から車載装置１００に送信されたコンテンツリストのデータは、車載装置１００の通信部２０２により受信される（ステップＳ１２０８）。コンテンツリストのデータを受信すると、車載装置１００の制御部２０１は、図１５に示すように、受信したコンテンツリストを表示モニタ２１２に表示する（ステップＳ１２０９）。
【０１１１】
そして、ユーザが、入力部２１１で、表示されたコンテンツリストの中から再生するコンテンツデータを選択すると、コンテンツサーバ１２０から、選択したコンテンツデータが配信される（ステップＳ１２１０）。
【０１１２】
なお、ステップＳ１２０９において、表示されたコンテンツリストには、主たるユーザＡが所有している、優先度１が付与された楽曲に対応するように、識別マーク（二重マル）が付される。
【０１１３】
一方、判定処理ステップＳ１２０４において、受信したユーザ情報が単数である場合、コンテンツリスト生成部２０７は、そのユーザ情報に対応するプロファイルに基づいて、各楽曲のタイトルを記憶部２０５から読出し、コンテンツリストを生成する（ステップＳ１２０４及びステップＳ１２０６）。以下同様に、ステップＳ１２０７からステップＳ１２１０までの処理が実行される。
【０１１４】
これにより、コンテンツデータの配信を受けるユーザの環境を考慮した適応的なコンテンツリストを生成するコンテンツリスト生成システム、コンテンツサーバ、車載装置を提供することができる。
【０１１５】
なお、実施の形態１及び実施の形態２における優先度の付与の仕方を組合わせてもよい。この場合、例えば、ユーザＡとユーザＢとユーザＣとの３人が所有しているならば、最も高い優先度１が付与される。
【０１１６】
同様に、ユーザＡとユーザＢとの２人が所有している、或いはユーザＡとユーザＣとの２人が所有しているならば、２番目に高い優先度２が付与される。また、ユーザＢとユーザＣと２人が所有しているならば、３番目に高い優先度３が付与される。
【０１１７】
また、ユーザＡのみが所有しているならば、４番目に高い優先度４が付与される。ユーザＢ、或いはユーザＣのみが所有しているならば、５番目に高い優先度５が付与される。いずれのユーザも所有していないならば、優先度なしとされる。
【０１１８】
なお、上述の実施の形態１及び実施の形態２の構成に限らない。例えば、コンテンツサーバ１２０から複数のプロファイルを受取って、車載装置１００側で、複数のプロファイルを統合してコンテンツリストを生成する構成としてもよい。
【０１１９】
この場合、車載装置１００は、ユーザ情報をコンテンツサーバ１２０に送信する。コンテンツサーバ１２０は、受信したユーザ情報に対応するプロファイルを車載装置１００に送信する。
【０１２０】
車載装置１００は、コンテンツサーバ１２０から受信したプロファイルが複数ある場合、複数のプロファイルを統合し、統合プロファイルを生成する。生成した統合プロファイルに基づいて、コンテンツリストを生成する。
【０１２１】
また、コンテンツサーバ１２０から統合プロファイルを受取って、車載装置１００側で、コンテンツリストを生成する構成としてもよい。
【０１２２】
この場合、車載装置１００は、ユーザ情報をコンテンツサーバ１２０に送信する。コンテンツサーバ１２０は、受信したユーザ情報が複数ある場合、ユーザ情報各々に対応する複数のプロファイルを統合し、統合プロファイルを生成する。
【０１２３】
コンテンツサーバ１２０は、生成した統合プロファイルを車載装置１００に送信する。車載装置１００は、コンテンツサーバ１２０から受信した統合プロファイルに基づいて、コンテンツリストを生成する。
【０１２４】
また、車載装置１００に複数のプロファイルを保持しておいて、車載装置１００側で、プロファイルを統合してコンテンツリストを生成する構成としてもよい。
【０１２５】
この場合、車載装置１００は、ユーザ情報が複数ある場合、ユーザ情報各々に対応する複数のプロファイルを統合し、統合プロファイルを生成する。生成した統合プロファイルに基づいて、コンテンツリストを生成する。
【０１２６】
なお、コンテンツリスト作成以外にも、プレイリストの表示などにも適用可能であり、その他のプロファイルに保存される情報に関して、全て適用可能である。
【０１２７】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【０１２８】
本発明にかかる車載装置は、カーナビゲーション装置、カーオーディオ、カーマルチメディア機器等として有用である。また、コンテンツサーバは、配信サーバとして有用である。
【図面の簡単な説明】
【０１２９】
【図１】本発明の実施の形態におけるコンテンツリスト生成システムの全体構成を示す模式図
【図２】本発明の実施の形態におけるコンテンツリスト生成システムの構成の一例を示すブロック図
【図３】ユーザ認識部の構成の一例を示すブロック図
【図４】初期状態のコンテンツリストの一例を示す図
【図５】プロファイルの一例を示す図
【図６】本発明の実施の形態１におけるコンテンツリスト生成システムの動作を示すフロー図
【図７】統合プロファイルの一例を示す図
【図８】生成したコンテンツリストの一例を示す図
【図９】生成したコンテンツリストの表示例を示す図
【図１０】プロファイルの一例を示す図
【図１１】ユーザ認識部の構成の一例を示すブロック図
【図１２】本発明の実施の形態２におけるコンテンツリスト生成システムの動作を示すフロー図
【図１３】統合プロファイルの一例を示す図
【図１４】生成したコンテンツリストの一例を示す図
【図１５】生成したコンテンツリストの表示例を示す図
【符号の説明】
【０１３０】
１００  車載装置
１１０  ネットワーク
１２０  コンテンツサーバ
２００  ユーザ認識部
２０１  制御部
２０２  通信部
２０３  通信部
２０４  制御部
２０５  記憶部
２０６  プロファイル統合部
２０７  コンテンツリスト生成部
２０８  描画ＬＳＩ
２０９  メモリ
２１０  ＤＡＣ
２１１  入力部
２１２  表示モニタ
２１３  スピーカ
３００  ＩＣ部
３０１  アンテナ部
３０２  データ読取部
３０３  ユーザ情報記憶部
３０４  判断部
３０５  出力部
１１００  主ユーザ情報入力部
１１０１  ユーザ情報生成部
【図１】
2007057571.tif 000003
【図２】
2007057571.tif 000004
【図３】
2007057571.tif 000005
【図４】
2007057571.tif 000006
【図５】
2007057571.tif 000007
【図６】
2007057571.tif 000008
【図７】
2007057571.tif 000009
【図８】
2007057571.tif 000010
【図９】
2007057571.tif 000011
【図１０】
2007057571.tif 000012
【図１１】
2007057571.tif 000013
【図１２】
2007057571.tif 000014
【図１３】
2007057571.tif 000015
【図１４】
2007057571.tif 000016
【図１５】
2007057571.tif 000017